(57)【要約】      （修正有）【課題】十分な輝度が得られる発光ダイオードチップの製造方法及び発光ダイオードチップを提供する。【解決手段】結晶成長用の透明基板上に発光層を含む複数の半導体層が形成された積層体層を有し積層体層の表面に互いに交差する複数の分割予定ラインによって区画された各領域にそれぞれＬＥＤ回路が形成されたウエーハ１１を準備し、ウエーハの裏面に全面に渡り複数の貫通孔２９が形成された第１の透明基板２１の表面を貼着して第１一体化ウエーハ２５を形成し、第１透明基板貼着工程を実施した後第１の透明基板の裏面に全面に渡り複数の貫通孔が形成された第２の透明基板２１Ａの表面を貼着して第２一体化ウエーハ２５Ａを形成し、ウエーハを分割予定ラインに沿って第１及び第２の透明基板と共に切断して第２一体化ウエーハを個々の発光ダイオードチップに分割する。【選択図】図３
2018113385.tif 000002
【特許請求の範囲】
【請求項１】
発光ダイオードチップの製造方法であって、
結晶成長用の透明基板上に発光層を含む複数の半導体層が形成された積層体層を有し、該積層体層の表面に互いに交差する複数の分割予定ラインによって区画された各領域にそれぞれＬＥＤ回路が形成されたウエーハを準備するウエーハ準備工程と、
ウエーハの裏面に全面に渡り複数の貫通孔が形成された第１の透明基板の表面を貼着して第１一体化ウエーハを形成する第１透明基板貼着工程と、
該第１透明基板貼着工程を実施した後、該第１の透明基板の裏面に全面に渡り複数の貫通孔が形成された第２の透明基板の表面を貼着して第２一体化ウエーハを形成する第２透明基板貼着工程と、
該ウエーハを該分割予定ラインに沿って該第１及び第２の透明基板と共に切断して該第２一体化ウエーハを個々の発光ダイオードチップに分割する分割工程と、
を備えたことを特徴とする発光ダイオードチップの製造方法。
【請求項２】
該第１透明基板貼着工程及び該第２透明基板貼着工程に替えて、該第１の透明基板の裏面に該第２の透明基板の表面を貼着して一体化した後、該第１の透明基板の表面にウエーハの裏面を貼着する請求項１記載の発光ダイオードチップの製造方法。
【請求項３】
該第１及び第２の透明基板は、透明セラミックス、光学ガラス、サファイア、透明樹脂の何れかで形成され、該第１及び該第２透明基板貼着工程は透明接着剤を使用して実施される請求項１記載の発光ダイオードチップの製造方法。
【請求項４】
発光ダイオードチップであって、
表面にＬＥＤ回路が形成された発光ダイオードと、
該発光ダイオードの裏面に表面が貼着された複数の貫通孔を有する第１の透明部材と、
該第１の透明部材の裏面に表面が貼着された複数の貫通孔を有する第２の透明部材と、
を備えたことを特徴とする発光ダイオードチップ。
【発明の詳細な説明】
【技術分野】
【０００１】
本発明は、発光ダイオードチップの製造方法及び発光ダイオードチップに関する。
【背景技術】
【０００２】
サファイア基板、ＧａＮ基板、ＳｉＣ基板等の結晶成長用基板の表面にｎ型半導体層、発光層、ｐ型半導体層が複数積層された積層体層が形成され、この積層体層に交差する複数の分割予定ラインによって区画された領域に複数のＬＥＤ（Ｌｉｇｈｔ  Ｅｍｉｔｔｉｎｇ  Ｄｉｏｄｅ）等の発光デバイスが形成されたウエーハは、分割予定ラインに沿って切断されて個々の発光デバイスチップに分割され、分割された発光デバイスチップは携帯電話、パソコン、照明機器等の各種電気機器に広く利用されている。
【０００３】
発光デバイスチップの発光層から出射される光は等方性を有しているため、結晶成長用基板の内部にも照射されて基板の裏面及び側面からも光が出射する。然し、基板の内部に照射された光のうち空気層との界面での入射角が臨界角以上の光は界面で全反射されて基板内部に閉じ込められ、基板から外部に出射されることがないから発光デバイスチップの輝度の低下を招くという問題がある。
【０００４】
この問題を解決するために、発光層から出射された光が基板の内部に閉じ込められるのを抑制するために、基板の裏面に透明部材を貼着して輝度の向上を図るようにした発光ダイオード（ＬＥＤ）が特開２０１４−１７５３５４号公報に記載されている。
【先行技術文献】
【特許文献】
【０００５】
【特許文献１】特開２０１４−１７５３５４号公報
【発明の概要】
【発明が解決しようとする課題】
【０００６】
然し、特許文献１に開示された発光ダイオードでは、基板の裏面に透明部材を貼着することにより輝度が僅かに向上したものの十分な輝度が得られないという問題がある。
【０００７】
本発明はこのような点に鑑みてなされたものであり、その目的とするところは、十分な輝度が得られる発光ダイオードチップの製造方法及び発光ダイオードチップを提供することである。
【課題を解決するための手段】
【０００８】
請求項１記載の発明によると、発光ダイオードチップの製造方法であって、結晶成長用の透明基板上に発光層を含む複数の半導体層が形成された積層体層を有し、該積層体層の表面に互いに交差する複数の分割予定ラインによって区画された各領域にそれぞれＬＥＤ回路が形成されたウエーハを準備するウエーハ準備工程と、ウエーハの裏面に全面に渡り複数の貫通孔が形成された第１の透明基板の表面を貼着して第１一体化ウエーハを形成する第１透明基板貼着工程と、該第１透明基板貼着工程を実施した後、該第１の透明基板の裏面に全面に渡り複数の貫通孔が形成された第２の透明基板の表面を貼着して第２一体化ウエーハを形成する第２透明基板貼着工程と、該ウエーハを該分割予定ラインに沿って該第１及び第２の透明基板と共に切断して該第２一体化ウエーハを個々の発光ダイオードチップに分割する分割工程と、を備えたことを特徴とする発光ダイオードチップの製造方法が提供される。
【０００９】
好ましくは、該第１及び第２の透明基板は、透明セラミックス、光学ガラス、サファイア、透明樹脂の何れかで形成され、該第１及び該第２透明基板貼着工程は透明接着剤を使用して実施される。
【００１０】
請求項４記載の発明によると、発光ダイオードチップであって、表面にＬＥＤ回路が形成された発光ダイオードと、該発光ダイオードの裏面に表面が貼着された複数の貫通孔を有する第１の透明部材と、該第１の透明部材の裏面に表面が貼着された複数の貫通孔を有する第２の透明部材と、を備えたことを特徴とする発光ダイオードチップが提供される。
【発明の効果】
【００１１】
本発明の発光ダイオードチップは、ＬＥＤの裏面に複数の貫通孔を有する第１の透明部材の表面が貼着され、該第１の透明部材の裏面に複数の貫通孔を有する第２の透明部材の表面が貼着されているので、光が第１及び第２の透明部材内で複雑に屈折して第１及び第２の透明部材内に閉じ込められる光が減少し、第１及び第２の透明部材から出射される光の量が増大して発光ダイオードチップの輝度が向上する。
【図面の簡単な説明】
【００１２】
【図１】光デバイスウエーハの表面側斜視図である。
【図２】図２（Ａ）は第１の透明基板の表面をウエーハの裏面に貼着して一体化する第１透明基板貼着工程を示す斜視図、図２（Ｂ）は第１一体化ウエーハの斜視図である。
【図３】図３（Ａ）は第１一体化ウエーハの第１の透明基板の裏面に第２の透明基板の表面を貼着して一体化する第２透明基板貼着工程を示す斜視図、図３（Ｂ）は第２一体化ウエーハの斜視図である。
【図４】第２一体化ウエーハをダイシングテープを介して環状フレームで支持する支持工程を示す斜視図である。
【図５】第２一体化ウエーハを発光ダイオードチップに分割する分割工程を示す斜視図である。
【図６】分割工程終了後の第２一体化ウエーハの斜視図である。
【図７】本発明実施形態に係る発光ダイオードチップの斜視図である。
【発明を実施するための形態】
【００１３】
以下、本発明の実施形態を図面を参照して詳細に説明する。図１を参照すると、光デバイスウエーハ（以下、単にウエーハと略称することがある）１１の表面側斜視図が示されている。
【００１４】
光デバイスウエーハ１１は、サファイア基板１３上に窒化ガリウム（ＧａＮ）等のエピタキシャル層（積層体層）１５が積層されて構成されている。光デバイスウエーハ１１は、エピタキシャル層１５が積層された表面１１ａと、サファイア基板１３が露出した裏面１１ｂとを有している。
【００１５】
ここで、本実施形態の光デバイスウエーハ１１では、結晶成長用基板としてサファイア基板１３を採用しているが、サファイア基板１３に替えＧａＮ基板又はＳｉＣ基板等を採用するようにしてもよい。
【００１６】
積層体層（エピタキシャル層）１５は、電子が多数キャリアとなるｎ型半導体層（例えば、ｎ型ＧａＮ層）、発光層となる半導体層（例えば、ＩｎＧａＮ層）、正孔が多数キャリアとなるｐ型半導体層（例えば、ｐ型ＧａＮ層）を順にエピタキシャル成長させることにより形成される。
【００１７】
サファイア基板１３は例えば１００μｍの厚みを有しており、積層体層１５は例えば５μｍの厚みを有している。積層体層１５に複数のＬＥＤ回路１９が格子状に形成された複数の分割予定ライン１７によって区画されて形成されている。ウエーハ１１は、ＬＥＤ回路１９が形成された表面１１ａと、サファイア基板１３が露出した裏面１１ｂとを有している。
【００１８】
本発明実施形態の発光ダイオードチップの製造方法によると、まず図１に示すような光デバイスウエーハ１１を準備するウエーハ準備工程を実施する。更に、第１及び第２の透明基板を準備する透明基板準備工程を実施する。
【００１９】
透明基板準備工程を実施した後、図２（Ａ）に示すように、全面に渡り複数の貫通孔２９が形成された第１の透明基板２１の表面２１ａをウエーハ１１の裏面１１ｂに貼着する第１透明基板貼着工程を実施する。図２（Ｂ）は第１一体化ウエーハ２５の斜視図である。
【００２０】
第１の透明基板２１は、透明樹脂、光学ガラス、サファイア、透明セラミックスの何れかから形成される。本実施形態では、光学ガラスに比べて耐久性のあるポリカーボネート、アクリル樹脂等の透明樹脂から第１及び第２の透明基板を形成した。
【００２１】
第１透明基板貼着工程を実施した後、図３（Ａ）に示すように、全面に渡り複数の貫通孔２９が形成された第２の透明基板２１Ａの表面２１ａを第１一体化ウエーハ２５の第１の透明基板２１の裏面に貼着して（第２透明基板貼着工程）、図３（Ｂ）に示すような、第２一体化ウエーハ２５Ａを形成する。第２の透明基板２１Ａの材質も上述した第１の透明基板２１の材質と同様である。
【００２２】
上述した第１透明基板貼着工程及び第２透明基板貼着工程に替えて、第１の透明基板２１の裏面に第２の透明基板２１Ａの表面を貼着して一体化した後、第１の透明基板２１の表面２１ａにウエーハ１１の裏面１１ｂを貼着するようにしてもよい。
【００２３】
第２透明基板貼着工程を実施した後、図４に示すように、第２一体化ウエーハ２５Ａの第２の透明基板２１Ａを外周部が環状フレームＦに貼着されたダイシングテープＴに貼着してフレームユニットを形成し、第２一体化ウエーハ２５ＡをダイシングテープＴを介して環状フレームＦで支持する支持工程を実施する。
【００２４】
支持工程を実施した後、フレームユニットを切削装置に投入し、切削装置で第２一体化ウエーハ２５Ａを切削して個々の発光ダイオードチップに分割する分割工程を実施する。この分割工程について、図５を参照して説明する。
【００２５】
この分割工程は、例えば、よく知られた切削装置を用いて実施する。図５に示すように、切削装置の切削ユニット１０は、スピンドルハウジング１２と、スピンドルハウジング１２中に回転可能に挿入された図示しないスピンドルと、スピンドルの先端に装着された切削ブレード１４とを含んでいる。
【００２６】
切削ブレード１４の切り刃は、例えば、ダイヤモンド砥粒をニッケルメッキで固定した電鋳砥石で形成されており、その先端形状は三角形状、四角形状、又は半円形状をしている。
【００２７】
切削ブレード１４の概略上半分はブレードカバー（ホイールカバー）１６で覆われており、ブレードカバー１６には切削ブレード１４の奥側及び手前側に水平に伸長する一対の（１本のみ図示）クーラーノズル１８が配設されている。
【００２８】
分割工程では、第２一体化ウエーハ２５ＡをフレームユニットのダイシングテープＴを介して切削装置のチャックテーブル２０で吸引保持し、環状フレームＦは図示しないクランプでクランプして固定する。
【００２９】
そして、切削ブレード１４を矢印Ｒ方向に高速回転させながら切削ブレード１４の先端がダイシングテープＴに届くまでウエーハ１１の分割予定ライン１７に切り込み、クーラーノズル１８から切削ブレード１４及びウエーハ１１の加工点に向かって切削液を供給しつつ、第２一体化ウエーハ２５Ａを矢印Ｘ１方向に加工送りすることにより、ウエーハ１１の分割予定ライン１７に沿ってウエーハ１１及び第１及び第２の透明基板２１，２１Ａを切断する切断溝２７を形成する。
【００３０】
切削ユニット１０をＹ軸方向に割り出し送りしながら、第１の方向に伸長する分割予定ライン１７に沿って同様な切断溝２７を次々と形成する。次いで、チャックテーブル２０を９０°回転してから、第１の方向に直交する第２の方向に伸長する全ての分割予定ライン１７に沿って同様な切断溝２７を形成して、図６に示す状態にすることで、第２一体化ウエーハ２５Ａを図７に示すような発光ダイオードチップ３１に分割する。
【００３１】
上述した実施形態では、第２一体化ウエーハ２５Ａを個々の発光ダイオードチップ３１に分割するのに切削装置を使用しているが、ウエーハ１１及び透明基板２１，２１Ａに対して透過性を有する波長のレーザービームを分割予定ライン１３に沿ってウエーハ１１に照射して、ウエーハ１１及び第１の透明基板２１及び第２の透明基板２１Ａの内部に厚み方向に複数層の改質層を形成し、次いで、第２一体化ウエーハ２５Ａに外力を付与して、改質層を分割起点に第２一体化ウエーハ２５Ａを個々の発光ダイオードチップ３１に分割するようにしてもよい。
【００３２】
図７に示された発光ダイオードチップ３１は、表面にＬＥＤ回路１９を有するＬＥＤ１３Ａの裏面に複数の貫通孔２９を有する第１透明部材２１´が貼着されている。更に、第１透明部材２１´の裏面に複数の貫通孔２９を有する第２透明部材２１Ａ´が貼着されている。
【００３３】
従って、図７に示す発光ダイオードチップ３１では、第１及び第２透明部材２１´，２１Ａ´の表面積が増大することに加え、光が第１及び第２透明部材内２１´，２１Ａ´で複雑に屈折して透明部材内に閉じ込められる光が減少し、透明部材２１，２１Ａ´から出射される光の量が増大し、発光ダイオードチップ３１の輝度が向上する。
【符号の説明】
【００３４】
１０    切削ユニット
１１    光デバイスウエーハ（ウエーハ）
１３    サファイア基板
１４    切削ブレード
１５    積層体層
１７    分割予定ライン
１９    ＬＥＤ回路
２１    第１の透明基板
２１Ａ    第２の透明基板
２５    第１一体化ウエーハ
２５Ａ    第２一体化ウエーハ
２７    切断溝
２９    貫通孔
３１    発光ダイオードチップ
【図１】
2018113385.tif 000003
【図２】
2018113385.tif 000004
【図３】
2018113385.tif 000005
【図４】
2018113385.tif 000006
【図５】
2018113385.tif 000007
【図６】
2018113385.tif 000008
【図７】
2018113385.tif 000009